(57)【特許請求の範囲】
【請求項１】
入力された画像を少なくとも黒文字領域、色文字領域および写真領域に分離した領域信号を生成する文字写真分離手段と、該文字写真分離手段で生成された前記領域信号と評価基準信号とから前記文字写真分離手段における分離状態を検出する分離状態検出手段を有し、前記分離状態検出手段は、検出した前記分離状態をもとに、前記文字写真分離手段における領域の分離を制御することを特徴とする画像処理装置。
【請求項２】
画像を入力する画像入力手段と、入力された画像を少なくとも黒文字領域、色文字領域および写真領域に分離した領域信号を生成する文字写真分離手段と、該文字写真分離手段で生成された前記領域信号と評価基準信号とから前記文字写真分離手段における分離状態を検出する分離状態検出手段を有し、前記分離状態検出手段は、検出した前記分離状態をもとに前記画像入力手段の不良を判定することを特徴とする画像処理装置。
【請求項３】
前記入力された画像から前記評価基準信号を生成する評価基準信号生成手段をさらに有することを特徴とする請求項１または請求項２に記載の画像処理装置。
【請求項４】
入力された画像に対して処理を施す画像処理手段を有し、前記分離状態検出手段は、検出した前記分離状態をもとに前記画像処理手段を制御して前記分離状態に応じた処理を行なわせることを特徴とする請求項１ないし請求項３のいずれか１項に記載の画像処理装置。
【請求項５】
入力された画像を文字写真分離手段で少なくとも黒文字領域、色文字領域および写真領域に分離して領域信号を生成し、生成された前記領域信号と評価基準信号とから前記文字写真分離手段における分離状態を分離状態検出手段で検出し、検出した前記分離状態をもとに、前記文字写真分離手段における領域の分離を制御することを特徴とする画像処理方法。
【請求項６】
画像を画像入力手段で入力し、入力された画像を文字写真分離手段で少なくとも黒文字領域、色文字領域および写真領域に分離して領域信号を生成し、生成された前記領域信号と評価基準信号とから前記文字写真分離手段における分離状態を分離状態検出手段で検出し、検出した前記分離状態をもとに前記画像入力手段の不良を判定することを特徴とする画像処理方法。
【請求項７】
前記評価基準信号は、前記入力された画像から生成されることを特徴とする請求項５または請求項６に記載の画像処理方法。
【請求項８】
検出した前記分離状態に応じた処理を入力された画像に対して施すことを特徴とする請求項５ないし請求項７のいずれか１項に記載の画像処理方法。
【発明の詳細な説明】
【０００１】
【発明の属する技術分野】
本発明は、入力された画像を少なくとも文字領域と写真領域に分離して処理可能な画像処理装置及び画像処理方法に関するものである。
【０００２】
【従来の技術】
写真や文字など、種々の要素が混在した画像に対して、例えば出力装置に出力したり、あるいは画像データとして外部へ出力する際には、種々の画像処理を施している。このような場合、それぞれの領域の特性に応じた処理を行なう必要がある。例えば出力処理の場合には、写真の領域では階調性が重視され、また文字の領域では識別性が重視される。そのため、それぞれ重視される観点に応じた画像処理を施して出力することが望まれる。例えばカラープリンタやカラー複写機などの出力装置では、３色のカラーとともに黒を用いて出力画像を形成するため、文字領域であっても色文字領域か黒文字領域かでそれぞれ異なる処理が行なわれている。さらに、外部へ画像データを出力する際に例えば符号化処理を行なう場合にも、文字領域については高圧縮率の符号化方式を適用できるし、他の画像処理においても各領域ごとの処理を必要とする場合は多い。このような領域ごとの処理を行なうためには、それぞれの領域を正確に認識し、分離する必要がある。そのため、従来より領域を認識し、分離する処理については種々の提案がなされている。
【０００３】
図１０は、従来の画像領域判定装置の一例を示すブロック図である。図中、４１は構造抽出部、４２は色判定部、４３は論理演算部である。図１０に示した画像領域判定装置には、画像がＬ* ａ* ｂ* 信号として入力される。構造抽出部４１は、明度信号（Ｌ* ）に基づいてそのコントラスト情報、エッジ情報、網パターンとのマッチング情報などによって、文字構造と写真構造を分離する。色判定部４２は、明度信号（Ｌ* ）および色信号（ａ* ，ｂ* ）に基づいて、入力された画像の各画素が色画素であるか、黒または白画素であるかを判定する。論理演算部４３は、構造抽出部４１の出力信号と色判定部４２の出力信号とを論理演算し、黒文字、色文字、および写真のいずれであるかを判定し、領域信号を生成して出力する。
【０００４】
図１１ないし図１３は、従来の色判定による領域判定の問題点の説明図である。上述のように、写真、色文字、黒文字の領域を判定する際には、入力された画像の各画素において、少なくとも色画素かあるいは白黒画素かの判定を行なう。しかし、このような各画素ごとの色判定だけでは良好に色文字の領域と黒文字の領域を分離することはできない場合がある。特に、スキャナやカメラなどの画像入力装置を用いて取得された画像では、画像入力装置の劣化によるＭＴＦの劣化や、装置自体の振動、各色の取得時のタイミング誤差等により、入力された画像信号は必ずしも元の画像の色を反映しない場合がある。
【０００５】
図１１ではもとの画像が黒文字の場合を示している。図１１（Ａ）に示すような黒文字を、画像入力装置を用いて読み取ると、黒の領域の始終点付近ではすべての色信号が一様に小さくならずにばらつくことがある。図１１（Ｄ）では縦軸に彩度をとっており、彩度が所定の閾値以下の場合を黒または白、閾値以上の場合に色と判定している。色信号のばらつきによって図１１（Ｄ）に示すように黒の領域の始終点付近で彩度が上昇すると、その部分が色領域と誤判定されることになる。図１１（Ｂ）では、色領域であると誤判定された部分をクロスハッチングで示している。このような色領域の判定結果をそのまま適用すると、もともとは全体が黒文字であったのに、図１１（Ｃ）に示すように黒文字領域と色文字領域が混在した判定結果が出力されてしまうことになる。このような判定結果が出力されると、ある場合には黒文字と判定された領域と色文字と判定された領域の境界が不必要に強調されて目立ってしまったり、あるいは部分的に異なる処理が適用されて文字としての画質が低下するといった問題が発生する。
【０００６】
色文字の場合にも同様の問題が発生する。図１２ではもとの画像が低彩度の色文字の場合を示している。図示の都合上、図１２では色を施す代わりに右下がりのハッチングを施して示している。例えばブルーやダークグリーンなどの低彩度文字では、色領域の始終点付近で色信号のばらつきなどによって彩度が得られない場合が発生する。例えば図１２（Ｄ）に示すように始終点付近で彩度が上がらないと、その部分は黒領域であると判定されてしまう。その結果、図１２（Ａ）に示すような低彩度文字の領域判定結果は、図１２（Ｂ）に黒く示すように一部が黒領域と判定されてしまう。なお、図１２（Ｂ）においてクロスハッチングを施した部分は色領域と判定された部分である。このような色領域の判定結果をそのまま適用すると、色文字の中に黒い斑点が存在した画像となり、さらに後段の処理によってはその境界が強調されてしまい、文字画像の画質は低下する。
【０００７】
図１３では、もとの画像が例えばこげ茶やダークブルーなどの極低彩度の色文字の場合を示している。図示の都合上、図１３では色を施す代わりに右上がりのハッチングを施して示している。極低彩度の文字では、図１２に示したような低彩度の色の文字の場合と同様に端部で誤判定が発生するほか、全体的に画像信号が閾値付近でふらつき、各所で黒文字であるとの誤判定がなされる可能性がある。そのため、図１３（Ｂ）に示すように、色領域と判定されたクロスハッチングで示す領域内に、黒く塗りつぶして示した黒領域が混在し、その結果、図１３（Ｃ）に示すように色文字内に黒の部分がまだらに存在する文字となってしまい、色文字の画質は極端に低下してしまうという問題がある。
【０００８】
上述のように、画像入力装置の劣化によるＭＴＦの劣化や、装置自体の振動、各色の取得時のタイミング誤差等により、図１１ないし図１３に示したように領域分離結果がばらついてしまうという問題があった。また、このようなバラツキは、画像入力装置の機差バラツキや、スキャナやデジタルカメラといった画像入力装置の種類の相違などによっても発生しており、各装置によらず一定の領域分離結果を維持することができないという問題もあった。
【０００９】
【発明が解決しようとする課題】
本発明は、上述した事情に鑑みてなされたもので、画像入力装置の種類や機差、経時的な変動などによって発生する領域分離結果の変動を検知し、また、このような変動を修正する機能を有する画像処理装置および画像処理方法を提供することを目的とするものである。
【００１０】
【課題を解決するための手段】
本発明は、入力された画像を少なくとも黒文字領域、色文字領域、写真領域に分離した領域信号と、例えば予め設定されたり入力された画像から生成された評価基準信号とから、これらの領域への分離状態を検出する分離状態検出手段を有している。この分離状態検出手段で検出された分離状態を得ることによって、上述のように黒文字が色文字と判定されたり、色文字が黒文字と判定されている領域の有無や割合などを知ることができ、領域分離結果の変動を検知することが可能となる。
【００１１】
このようにして得られた分離状態の検出結果をもとに、例えば各領域に分離する文字写真分離手段を制御することによって、画像入力装置の種類や機差、経時的な変動などが発生しても、常に一定の領域分離結果を得ることができるようになる。あるいは、得られた分離状態の検出結果をもとに画像処理手段を制御し、分離状態に応じた処理を行なうように構成することもできる。また、特定の画像入力手段が用いられる構成では、分離状態の検出結果から画像入力手段の不良を判定することもできる。
【００１２】
【発明の実施の形態】
図１は、本発明の画像処理装置の第１の実施の形態を示すブロック構成図である。図中、１は画像入力部、２は色変換部、３は文字写真分離部、４は評価基準信号生成部、５は分離状態検出部である。画像入力部１は、スキャナやカメラなどの画像入力装置などで構成され、画像を入力する。あるいは、ネットワークなどの通信路に接続され、またパーソナルコンピュータやワークステーションなどと直結され、これらの通信路を介して送られてくる画像を入力する。
【００１３】
色変換部２は、画像入力部１で入力された画像の色空間を、内部の処理で用いる色空間に変換する。ここでは一例として画像入力部１で入力される画像の色空間をＲＧＢ色空間、内部の処理で用いる色空間をＬ* ａ* ｂ* 色空間とし、ＲＧＢ色空間からＬ* ａ* ｂ* 色空間への色変換を行なう。なお、入力される画像の色空間が内部の処理で用いる色空間と同じ場合には、この色変換部２を設けないで構成することも可能である。
【００１４】
文字写真分離部３は、入力された画像を少なくとも黒文字領域、色文字領域、写真領域に分離し、その分離結果を領域信号として出力する。この文字写真分離部３の構成は、例えば上述の図１０に示した構成とすることができる。
【００１５】
評価基準信号生成部４は、入力された画像の明度を示すＬ* 信号をもとに、黒文字部か否かを判定し、判定結果を評価基準信号として出力する。図２は、本発明の画像処理装置の第１の実施の形態における評価基準信号生成部の一例を示すブロック構成図である。図中、１１はヒストグラム解析部、１２は二値化部である。ヒストグラム解析部１１は、入力された画像のＬ* 信号の値ごとに画素数を計数してヒストグラムを作成する。そして、作成されたヒストグラムをもとにモード法による解析を行ない、文字部分と背景とを分離する閾値を決定する。二値化部１２は、ヒストグラム解析部１１から出力される閾値を用いて入力された画像のＬ* 信号を二値化する。二値化した結果に基づいて、文字部分が１、背景部が０となる評価基準信号を出力する。なお、図２に示した評価基準信号生成部の構成は一例であって、他の種々の方法によって評価基準信号を生成してもよい。
【００１６】
分離状態検出部５は、文字写真分離部３から出力される領域信号と評価基準信号生成部４から出力される評価基準信号をもとに、文字写真分離部３による各領域への分離状態を検出する。図３は、本発明の画像処理装置の第１の実施の形態において分離状態検出部で検出する分離状態の一例の説明図である。この例では、分離状態検出部５は図３（Ａ）に示すように、文字写真分離部３から出力される領域信号の各値（黒文字、色文字、写真）と、評価基準信号生成部４から出力される評価基準信号の各値（文字、背景）の各組み合わせごとに画素数をカウントする。そして、各カウント数をもとに例えば図３（Ｂ）に示すような種々の値を計算する。
【００１７】
黒文字のみの画像が入力された場合を考える。まず、評価基準信号生成部４で文字として評価され、また文字写真分離部３で黒文字領域に分離された画素は、正確に分離されていることを示す。この画素数をｃ１とし、評価基準信号生成部４で文字として評価された総画素数ｍのうちの画素数ｃ１の割合を黒文字認識率Ｐとする。評価基準信号生成部４で文字として評価されたが、文字写真分離部３で色文字領域に分離された画素は、入力された画像が黒文字であったことを考えると、上述の図１１で説明したように黒文字の一部が色づいてしまった画素と考えられる。この画素数をｃ２とし、評価基準信号生成部４で文字として評価された総画素数ｍのうちの画素数ｃ２の割合を文字内部色づき率とする。評価基準信号生成部４で文字として評価されたが、文字写真分離部３で写真領域に分離された画素は、分離結果が誤っていることが考えられる。この画素数をｃ３とし、評価基準信号生成部４で文字として評価された総画素数ｍのうちの画素数ｃ３の割合を文字認識不能率とする。
【００１８】
一方、評価基準信号生成部４で背景として評価されたが、文字写真分離部３で黒文字領域に分離された画素は、文字以外の部分で黒文字として誤って分離された可能性がある。この画素数をｃ４とし、評価基準信号生成部４で背景として評価された総画素数ｈのうちの画素数ｃ４の割合を文字外部黒率とする。同様に、評価基準信号生成部４で背景として評価されたが、文字写真分離部３で色文字領域に分離された画素は、文字以外の部分で色文字として誤って分離された可能性がある。この画素数をｃ５とし、評価基準信号生成部４で背景として評価された総画素数ｈのうちの画素数ｃ５の割合を文字外部色率とする。評価基準信号生成部４で背景として評価されたが、文字写真分離部３でも写真領域に分離された画素は、良好に文字部と分離された領域である。この画素数をｃ６とし、評価基準信号生成部４で背景として評価された総画素数ｈのうちの画素数ｃ６の割合を背景分離率とする。
【００１９】
このほか、文字認識ＳＮ比、文字認識ＳＮ比（補正）を求める。黒文字のみの画像が入力された場合、黒文字部の各画素ｙi において黒文字として認識された場合を１、認識されなかった場合を０として、黒文字として認識された割合をｐ、黒文字部の総画素数をｎとすれば、
ｐ＝（ｙ1 ＋ｙ2 ＋ｙ3 ＋・・・＋ｙn ）／ｎ    …（１）
である。全変動は、ｙi が０と１なので
ＳT ＝ｙ12＋ｙ22＋・・・＋ｙn2＝ｎｐ          …（２）
である。信号の効果は、（１）式の変動を求めればよい。（１）式は線形式なので自由度１の変動となる。
0003797404.tif 000002
誤差変動は
Ｓe ＝ＳT −ＳP ＝ｎｐ−ｎｐ2 ＝ｎｐ（１−ｐ）    …（４）
で求められる。０，１データのＳ／Ｎ比は、信号の変動と誤差変動の比で表わされ、デシベルで表現すると次のようになる。
0003797404.tif 000003
ここで、割合ｐは、上述の黒文字認識率Ｐである。
【００２０】
また、背景部分においても黒文字として認識される場合があり、この場合もノイズとなる。背景部分が黒文字として認識される割合を上述のように背景分離率Ｑとして求めているので、黒文字認識率Ｐとの積を割合ｐとして文字認識Ｓ／Ｎ比を補正した値を求めることもできる。
【００２１】
分離状態検出部５で検出する分離状態に関する項目は、上述の図３に示した項目に限らず、そのいくつかのみ、あるいは他の項目とすることができ、領域分離状態を知るための１ないし複数の項目を任意に設定すればよい。
【００２２】
次に、本発明の画像処理装置の第１の実施の形態における動作の一例について、具体例を用いながら説明する。図４は、本発明の画像処理装置の第１の実施の形態における動作の一例を示すフローチャート、図５は、評価チャートを読み取った場合の各部における画像およびデータの具体例の説明図である。ここでは、図５（Ａ）に示すような黒文字のみからなる評価チャートを読み取らせて、文字写真分離部３における領域分離状態を調べる。さらにこの例では、分離状態検出部５で得られた文字写真分離部３の分離状態をもとに、文字写真分離部３の領域分離を制御する例を示している。
【００２３】
Ｓ２１において、図５（Ａ）に示すような評価チャートを画像入力部１で入力する。入力された評価チャートの画像は、色変換部２において色空間の変換処理が施される。ここでは画像入力部１の色空間であるＲＧＢ色空間から、内部処理で用いるＬ* ａ* ｂ* 色空間へと変換される。色空間が変換された評価チャートの画像は文字写真分離部３に入力され、黒文字領域、色文字領域、写真領域に分離され、領域信号が出力される。ここでは図５（Ｂ）に示すような領域信号が出力されたものとする。図５（Ｂ）において、袋文字で示した文字については全部あるいは一部が色文字領域として判定されていることを示している。図５（Ｂ）に示すように、この例では黒文字の一部が色文字領域として判定されてしまっている。
【００２４】
一方、色空間が変換された評価チャートの画像の明度信号Ｌ* は、評価基準信号生成部４にも入力され、図２に示すような構成によって閾値処理がなされ、評価基準信号が出力される。図５（Ａ）に示すような黒文字の評価チャートでは、良好に黒部分と白部分が分離され、図５（Ｃ）に示すような評価基準信号が得られる。
【００２５】
Ｓ２２において分離状態検出部５は、文字写真分離部３から出力された図５（Ｂ）に示すような領域信号と、評価基準信号生成部４から出力された図５（Ｃ）に示すような評価基準信号をもとに、図３（Ａ）に示すような各信号の組み合わせごとに画素数をカウントし、カウント結果をもとに例えば図３（Ｂ）に示したような各種の評価項目について値を計算する。
【００２６】
ここでは計算された文字認識不能率と文字認識Ｓ／Ｎ比を用いて文字写真分離部３による領域分離結果が許容範囲内か否かを判定する。もちろん、他の評価値によって、あるいは他の評価値を含めて、判定を行なってもよい。Ｓ２３において、文字認識不能率と不良基準値を比較する。文字認識不能率が不良基準値を超えている場合にはエラーとし、画像入力部１や文字写真分離部３等が故障しているものと判定する。この場合には文字写真分離部３の制御は行なわない。
【００２７】
文字認識不能率が不良基準値以内であった場合には、Ｓ２４においてさらに文字認識Ｓ／Ｎ比が目標値を達成しているか否かを判定する。目標値を達成していれば、文字写真分離部３による領域判定結果は許容範囲内であるものとし、文字写真分離部３の判定基準の変更は行なわない。
【００２８】
もし文字認識Ｓ／Ｎ比が目標値に達していなければ、文字写真分離部３は許容範囲を超えた誤判定を行なっているものとして、文字写真分離部３の制御を行なう。図６は、文字写真分離部３における黒文字領域と色文字領域の判定処理の一例の説明図である。黒文字領域と色文字領域の判定方法としては種々の方法があるが、ここではａ* 、ｂ* についてそれぞれ閾値を設け、｜ａ* ｜、｜ｂ* ｜が閾値以下の場合に黒であると判定する。これによって黒文字の一部が多少色づいても黒文字領域と判定することができる。しかし、あまり閾値を大きくしすぎると暗い色の色文字部分も黒文字領域として判定されることになるので好ましいことではない。そこで、通常は実験や出力画像などから適当と考えられる値を閾値として設定している。図６においてはハッチングを施した矩形領域が黒文字領域と判定する部分であり、その周縁の実線が設定されている閾値である。文字認識Ｓ／Ｎ比が目標値に達していない場合、この閾値を制御することができる。すなわち、文字認識Ｓ／Ｎ比が目標値に達していなということは、黒文字領域が他の領域として誤判定されていることを示すので、色文字領域として誤判定されている領域を黒文字領域として判定するように、例えば図６において破線で示すように閾値を変更し、黒文字領域として判定する色領域を増やせばよい。またここでは行なっていないが、色文字領域が黒文字化する場合には、黒文字領域として判定される領域が小さくなるように閾値を変更すればよい。
【００２９】
Ｓ２４で文字認識Ｓ／Ｎ比が目標値に達していないと判定された場合、Ｓ２５において、図６で説明したような黒文字と色文字の判定を行なう際に用いる閾値を変更し、Ｓ２６でその閾値を文字写真分離部３にセットする。そしてＳ２１へ戻り、再度評価チャートを読み取って判定を行なう。このような処理を、文字写真分離部３の領域分離結果の評価値が許容範囲内となるまで繰り返せばよい。
【００３０】
このようにして、文字写真分離部３における各領域への分離状態を検出することができるとともに、画像入力部１や文字写真分離部３の不良を検出することができる。さらには、検出した分離状態に基づいて文字写真分離部３における分離処理を制御することができる。これによって、画像入力装置の種類や機差、経時的な変動などが発生しても、常に一定の領域分離結果を得ることができる。
【００３１】
図７は、本発明の画像処理装置の第２の実施の形態を示すブロック構成図である。図中、図１と同様の部分には同じ符号を付して説明を省略する。６はフィルタ部である。図７に示した構成では、色変換部２の後段にフィルタ部６を設け、入力された画像に対してフィルタ処理を施す場合の構成例を示している。上述の第１の実施の形態でも述べたようにして文字写真分離部３における分離状態を検出ことによって、画像入力装置の種類や機差、経時的な変動などや、入力された画像の相違等が検出できる。上述の図４に示した第１の実施の形態における動作例では、このような変動を、文字写真分離部３を制御することによって補正した。しかし、このような変動を補正する方法としては、他の種々の画像処理手段における処理内容を制御することによっても行なうことができる。この第２の実施の形態では画像処理手段の一つとしてフィルタ部６を有しており、このフィルタ部６を分離状態検出部５で検出した文字写真分離部３における各領域の分離状態をもとに制御し、上述のような変動等を補正するように構成した例を示している。
【００３２】
図８は、本発明の画像処理装置の第２の実施の形態における動作の一例を示すフローチャートである。上述の図４に示した例と同様に、Ｓ３１において例えば図５（Ａ）に示すような評価チャートを画像入力部１で入力し、色変換部２において色空間の変換処理を施す。そして文字写真分離部３において各画素ごとに黒文字領域、色文字領域、写真領域のいずれであるかを判定し、領域信号が出力される。一方、評価基準信号生成部４において、色空間が変換された評価チャートの画像の明度信号Ｌ* から評価基準信号が出力される。
【００３３】
Ｓ３２において分離状態検出部５は、文字写真分離部３から出力された領域信号と、評価基準信号生成部４から出力された評価基準信号をもとに、図３（Ａ）に示すような各信号の組み合わせごとに画素数をカウントし、カウント結果をもとに例えば図３（Ｂ）に示したような各種の評価項目について値を計算する。そしてＳ３３において文字認識不能率と不良基準値を比較し、文字認識不能率が不良基準値を超えている場合にはエラーとし、画像入力部１や文字写真分離部３等が故障しているものと判定する。
【００３４】
文字認識不能率が不良基準値以内であった場合には、Ｓ３４においてさらに文字認識Ｓ／Ｎ比が目標値を達成しているか否かを判定する。目標値を達成していれば、文字写真分離部３による領域判定結果は許容範囲内であるものとし、フィルタ部６におけるフィルタ処理は変更しない。
【００３５】
文字認識Ｓ／Ｎ比が目標値を達成していない場合には、フィルタ部６でフィルタ処理を行なう際に用いるフィルタ係数を変更する。ここでは図７に示したようにフィルタ部６に補正フィルタ係数が複数用意されている。Ｓ３５において現在セットされているフィルタ係数と異なるフィルタ係数を選択し、Ｓ３６においてその選択したフィルタ係数をセットする。例えば各補正フィルタ係数に番号を付しておき、順次選択してゆくことができる。
【００３６】
補正フィルタ係数をセットした後、Ｓ３１へ戻ってその補正フィルタ係数によって文字認識Ｓ／Ｎ比が目標値を達成したか否かを改めて判定する。このような処理を繰り返すことによって、文字認識Ｓ／Ｎ比が目標値を達成する補正フィルタ係数がフィルタ部６にセットされることになる。
【００３７】
このようにして、分離状態検出部５で得られた分離状態の検出結果をもとに、フィルタ部６などの画像処理手段を制御し、分離状態に応じた処理を行なうように構成することもできる。なお、ここでは画像処理手段としてフィルタ部６を制御する例を示したが、本発明はこれに限らず、種々の画像処理手段に対して制御を行なうことが可能である。
【００３８】
図９は、本発明の画像処理装置の第３の実施の形態を示すブロック構成図である。図中、図１、図７と同様の部分には同じ符号を付して説明を省略する。７はプリンタ側色補正部、８はプリンタ側フィルタ部、９はプリンタ部である。この第３の実施の形態では、画像入力部１としてスキャナを用いることによって複写機を構成することができる。また、画像入力部１にネットワークなどの通信路やパーソナルコンピュータなどの機器を専用の通信路を介して接続することによって、プリンタとして構成することができる。
【００３９】
プリンタ側色補正部７は、プリンタ部９特有の色表現性能、例えば発色性や表現可能な色空間などに応じて色補正を行なうとともに、プリンタ部９が扱う色材の色空間、例えばＹ（イエロー）Ｍ（マゼンタ）Ｃ（シアン）Ｋ（ブラック）信号に変換する。プリンタ側フィルタ部８は、プリンタ部９の出力特性に適した画像となるように例えばスクリーン処理やフィルタ処理等を行なう。プリンタ部９は、画像を被記録媒体に記録し、出力する。
【００４０】
この例においては、画像入力部１で入力され、色変換部２で色変換がなされた画像は、文字写真分離部３で領域判定に利用された後、プリンタ側色補正部７に供給される。プリンタ側色補正部７では、Ｌ* ａ* ｂ* 信号をＹＭＣＫ信号に変換する処理を行なうが、その際に文字写真分離部３から与えられる領域信号に基づいて処理を切り替える。例えば黒文字領域についてはＹＭＣを用いずにＫを用いて記録するように色変換を行なうことができる。また色文字領域については、色文字の再現に良好な下地除去量を設定して処理し、階調補正などを行なう。さらに、写真領域についても例えば色再現性や粒状性を重視し、最適な下地除去および再現処理を行なうことができる。
【００４１】
プリンタ側フィルタ部８でも同様に、文字写真分離部３から与えられる領域信号に基づいて処理を行なうことができる。例えば黒文字領域や色文字領域では、文字が強調されるように文字用の強調処理、階調補正などを行なうことができる。また、領域信号に従ってスクリーン再現を切り替え、各領域において適切なスクリーン処理を行なうことができる。さらに、このプリンタ側フィルタ部８においても、フィルタ部６と同様に分離状態検出部５で検出した文字写真分離部３における領域分離状態に従ってフィルタ係数の選択などの制御を行なうことが可能である。
【００４２】
プリンタ部９は、プリンタ側色補正部７、プリンタ側フィルタ部８などで処理された画像を被記録媒体に記録するとともに、分離状態検出部５における領域分離状態の検出結果、例えば図３（Ｂ）に示すような各種の値を被記録媒体に記録し、ユーザや作業者、保守員などに提示することができる。
【００４３】
このようにして文字写真分離部３における各領域への分離状態を検出することができ、検出結果をプリントアウトすることができるとともに、検出した分離状態に基づいて文字写真分離部３や、フィルタ部６、プリンタ側フィルタ部８等の画像処理手段を制御することができる。これによって、画像入力装置１の種類や機差、経時的な変動などが発生しても、このような変動を文字写真分離部３や、フィルタ部６、プリンタ側フィルタ部８で補正し、常に一定の領域分離結果を得ることができる。なお、この例においても、領域分離状態に基づく制御対象はフィルタ部６、プリンタ側フィルタ部８に限られるものではなく、種々の画像処理手段に対して制御を行なうことが可能である。
【００４４】
上述の各実施の形態においては、分離状態検出部５で得られた分離状態の検出結果をもとに、文字写真分離部３や、フィルタ部６、プリンタ側フィルタ部８を制御したが、単に例えば図３（Ｂ）に示したような識別結果データを出力するだけでもよい。例えば上述の第３の実施の形態では、識別結果データがプリンタ部９から出力されるのみであってもよい。出力された識別結果データに基づいてオペレータが文字写真分離部３の閾値やフィルタ部６のフィルタ係数などを設定すればよい。また、このような文字写真分離部３やフィルタ部６、プリンタ側フィルタ部８の制御あるいは設定は、ユーザによる利用時に行なうほか、出荷時あるいはメンテナンス時にプリセットあるいは修正する構成でもよい。
【００４５】
さらに、原稿画像が入力されるたびに自動的に各部を制御して適応化してもよい。特にネットワークなどの通信路を介して画像が送られてくる場合や、複数の入力装置を有する構成では、各画像や入力装置に適応した文字写真分離処理や画像処理が行なわれることが望ましく、入力された画像から評価基準信号を生成して領域分離結果を評価することによって、各画像に適応した各部の処理が可能となる。
【００４６】
また、各実施の形態における構成では、評価基準信号生成部４において入力された画像から評価基準信号を生成しているが、例えば評価チャートが予め決まっているような場合には、評価基準信号生成部４は予め設定されている評価基準信号を出力するように構成してもよい。
【００４７】
なお、上述の各実施の形態における構成では、内部処理に用いる色空間をＬ* ａ* ｂ* 色空間とした例を示しているが、これに限られるものではなく、Ｌ* Ｃ* Ｈ゜、Ｌ* ｕ* ｖ* 、ＹＣｒＣｂ、ＲＧＢ、ＣＭＹＫなど、他の表色系を用いてももちろんよい。
【００４８】
【発明の効果】
以上の説明から明らかなように、本発明によれば、文字写真分離手段における領域分離処理の分離状態を検出することができ、領域分離結果の変動を検知することが可能となる。これによって、画像入力装置の種類や機差、経時的な変動などの発生を検知することができ、これらの検知結果に基づいて、常に一定の領域分離結果を得るように各部を調整することができる。さらには、画像入力装置などの不良を検出することもできる。
【００４９】
また、領域分離状態の検出結果をもとに文字写真分離手段を始め、各画像処理手段を適切に制御することができ、画像入力装置の種類や機差、経時的な変動などによらず、安定した文字写真画像の再現品質を維持することが可能になるという効果がある。
【図面の簡単な説明】
【図１】  本発明の画像処理装置の第１の実施の形態を示すブロック構成図である。
【図２】  本発明の画像処理装置の第１の実施の形態における評価基準信号生成部の一例を示すブロック構成図である。
【図３】  本発明の画像処理装置の第１の実施の形態において分離状態検出部で検出する分離状態の一例の説明図である。
【図４】  本発明の画像処理装置の第１の実施の形態における動作の一例を示すフローチャートである。
【図５】  評価チャートを読み取った場合の各部における画像およびデータの具体例の説明図である。
【図６】  文字写真分離部３における黒文字領域と色文字領域の判定処理の一例の説明図である。
【図７】  本発明の画像処理装置の第２の実施の形態を示すブロック構成図である。
【図８】  本発明の画像処理装置の第２の実施の形態における動作の一例を示すフローチャートである。
【図９】  本発明の画像処理装置の第３の実施の形態を示すブロック構成図である。
【図１０】  従来の画像領域判定装置の一例を示すブロック図である。
【図１１】  従来の黒文字における色判定による領域判定の問題点の説明図である。
【図１２】  従来の低彩度文字における色判定による領域判定の問題点の説明図である。
【図１３】  従来の極低彩度文字における色判定による領域判定の問題点の説明図である。
【符号の説明】
１…画像入力部、２…色変換部、３…文字写真分離部、４…評価基準信号生成部、５…分離状態検出部で、６…フィルタ部、７…プリンタ側色補正部、８…プリンタ側フィルタ部、９…プリンタ部、１１…ヒストグラム解析部、１２…二値化部。
【図１】
0003797404.tif 000004
【図２】
0003797404.tif 000005
【図３】
0003797404.tif 000006
【図４】
0003797404.tif 000007
【図５】
0003797404.tif 000008
【図６】
0003797404.tif 000009
【図７】
0003797404.tif 000010
【図８】
0003797404.tif 000011
【図９】
0003797404.tif 000012
【図１０】
0003797404.tif 000013
【図１１】
0003797404.tif 000014
【図１２】
0003797404.tif 000015
【図１３】
0003797404.tif 000016